(57)【特許請求の範囲】
【請求項１】
走行可能な台車と、その台車の後部の上方に設けられかつ目砂・肥料を収容するホッパーと、そのホッパーの下部にホッパーから供給される目砂・肥料を後方へ送るコンベアと、コンベア後方への目砂・肥料の送り量を調整する散布量調整用シャッターを備えた散布機であって、散布量調整用シャッターの後方に、散布量調整用シャッターとは別に、目土・肥料の送り出し部の開放／閉鎖を行うＯＮ／ＯＦＦシャッターを設けたこと、及び散布量調整用シャッターが、コンベア上でのその高さの調整により目砂・肥料の送り量を調整するようになっており、ＯＮ／ＯＦＦシャッターが、コンベア上でのその上昇または下降によりコンベア上の目砂・肥料の送り出し部の開放または閉鎖を行なうようになっていることを特徴とする目砂・肥料散布機。
【請求項２】
ＯＮ／ＯＦＦシャッターは、コンベアの駆動時には開放しかつコンベアの停止時には閉鎖するようにコンベアの駆動と連動して作動させることができることを特徴とする請求項１に記載の目砂・肥料散布機。
【発明の詳細な説明】
【技術分野】
【０００１】
本発明は、ゴルフ場・公園などにおいて芝地に目砂または肥料を散布する散布機に関する。特に、本発明は、作業の中断、移動時に目砂または肥料のこぼれ落ちの防止を簡単に行うことができる散布機に関する。
【背景技術】
【０００２】
ゴルフ場、公園などの芝地では、芝生の育成のために、芝目間に目砂・肥料を散布することが行われている。その作業には、台車で走行しながらホッパー内に収容された目砂・肥料を散布する目砂・肥料の散布機が用いられている。
【０００３】
図１は、従来の目砂・肥料の散布機の全体平面図であり、図２は、図１の散布機の全体側面図である。１はエンジン２により自走する走行台車で、前輪１ａと後輪１ｂを有し、油圧モーター３によって駆動される。４は目砂または肥料を入れるホッパーで、走行台車１の後輪１ｂの上方に設けられる。このホッパー４の下方は開放しており、開放部の下にコンベア５が設置される。このコンベア５は、ホッパー４の前方、後方のそれぞれに位置するコンベアローラー５ａ、５ｂにより、後向きに駆動される。６はホッパー４の後面下部に設けられた散布量調整用シャッターで、シャッターの高さにより目砂または肥料の送り出し量を調整する。６ａは前記シャッターの調整ハンドルで、送り出し量を調整する。７はコンベア５から送り出された目砂または肥料を回転飛散させるローターで、台車１の後方に位置し、且つコンベア５の出口側下方に位置しており、油圧モーター８により駆動され水平回転する。このローター７の回転により、目砂または肥料は後方に散布される。
【０００４】
ゴルフ場・公園に目砂・肥料を散布する散布機、または圃場に肥料を散布する散布機は、散布量が管理されており、散布機の使用者は、散布量に関して非常に気を遣って作業しているが、作業の中断、回送移動時は、散布量調整用シャッター６をコンベア５に接触させる（以下、「締め切りにする」とも言う）ことにより、目砂・肥料のこぼれ落ちを防止して移動を行っていた。しかし、移動時に散布調整用シャッター６を締め切りにする作業が、移動の度に発生し、その度に散布量調整用シャッター６の調整を行う必要があり、また作業再開時にも送り出し量の調整を行う必要があるので、非常に労力を要し、煩わしかった。
【先行技術文献】
【特許文献】
【０００５】
【特許文献１】特開２０１３−４６６０１号公報
【発明の概要】
【発明が解決しようとする課題】
【０００６】
本発明は、かかる従来技術の問題点を解消するために創案されたものであり、その目的は、目砂または肥料を散布する際に送り出し量を調整するシャッターの締め切りや調整によらずに、作業中断、回送移動時の目砂・肥料のこぼれ落ちの防止、及び作業再開時の目砂・肥料の適切な送り出しを簡単に行うことができる目砂・肥料の散布機を提供することにある。
【課題を解決するための手段】
【０００７】
本発明者は、かかる目的を達成するために鋭意検討した結果、散布量調整用シャッターとは別に、その後方に、全閉・全開の機能を有するＯＮ／ＯＦＦシャッターを独立して設置することにより、散布量調整用シャッターの調整を行わずに、作業中断、回送移動時はＯＮ／ＯＦＦシャッターを全閉にするだけで目砂・肥料のこぼれ落ちを簡単に防止でき、そして作業再開時はＯＮ／ＯＦＦシャッターを全開にするだけで作業中断前の散布量調整用シャッターの送り出し量を継続できることを見出し、本発明の完成に至った。
【０００８】
即ち、本発明は、以下の（１）〜（２）の構成を有するものである。
（１）走行可能な台車と、その台車の後部の上方に設けられかつ目砂・肥料を収容するホッパーと、そのホッパーの下部にホッパーから供給される目砂・肥料を後方へ送るコンベアと、コンベア後方への目砂・肥料の送り量を調整する散布量調整用シャッターを備えた散布機であって、散布量調整用シャッターの後方に、散布量調整用シャッターとは別に、目土・肥料の送り出し部の開放／閉鎖を行うＯＮ／ＯＦＦシャッターを設けたこと、及び散布量調整用シャッターが、コンベア上でのその高さの調整により目砂・肥料の送り量を調整するようになっており、ＯＮ／ＯＦＦシャッターが、コンベア上でのその上昇または下降によりコンベア上の目砂・肥料の送り出し部の開放または閉鎖を行なうようになっていることを特徴とする目砂・肥料散布機。
（２）ＯＮ／ＯＦＦシャッターは、コンベアの駆動時には開放しかつコンベアの停止時には閉鎖するようにコンベアの駆動と連動して作動させることができることを特徴とする（１）に記載の目砂・肥料散布機。
【発明の効果】
【０００９】
本発明の目砂・肥料散布機は、目砂・肥料が送り出される散布量調整用シャッターとは別に送り出し部の開放／閉鎖を行うＯＮ／ＯＦＦシャッターを設けたので、散布量調整用シャッターの散布量の調整を全く行わずに、作業中断時には散布送り出し量を確実に停止して、目砂・肥料のこぼれ落ちを簡単に防止することができるとともに、作業再開時には散布量調整シャッターを再調整することなく作業中断前と同量の目砂・肥料の送り出し量を得ることができる。また、本発明の目砂・肥料散布機は、ＯＮ／ＯＦＦシャッターをコンベアの駆動と連動して作動することができるので、作業中断時、回送移動時及び作業再開時にコンベアの停止及び駆動以外に特別な作業を行わずに自動的に目砂・肥料の送り出しの停止及び適切な量での送り出しの再開を行うことができる。
【図面の簡単な説明】
【００１０】
【図１】図１は、目砂・肥料の散布をローターの水平回転で行う従来の目砂・肥料散布機の平面図である。
【図２】図２は、図１の目砂・肥料散布機の側面図である。
【図３】図３は、目砂・肥料の散布をローターの水平回転で行う本発明の目砂・肥料散布機の要部側面図である。
【図４】図４は、本発明の目砂・肥料散布機のＯＮ／ＯＦＦシャッター機構の要部側面図である。
【図５】図５は、本発明の目砂・肥料散布機のＯＮ／ＯＦＦシャッター機構の要部斜視図である。
【図６】図６は、目砂・肥料の散布をブラシで行う本発明の目砂・肥料散布機の要部側面図である。
【発明を実施するための形態】
【００１１】
本発明の目砂・肥料散布機について図面を参照しながら説明するが、本発明はこれらに限定されるものではない。本発明の目砂・肥料散布機は、当業者に従来から知られているコンベア後方への目砂・肥料の送り量を調整する散布量調整用シャッターを有する目砂・肥料散布機において、かかるシャッターとは別に、その後方に、目土・肥料の送り出し部の開放／閉鎖を行うＯＮ／ＯＦＦシャッターを設けたことを特徴とする。本発明がベースとする目砂・肥料散布機としては、図３〜５で説明する目砂・肥料の散布をローターの水平回転で行うタイプや、図６で説明する目砂・肥料の散布をブラシで行うタイプなどが挙げられるが、本発明の目的を損なわない限り、これらに限定されない。
【００１２】
図３は、従来の目砂・肥料の散布をローターの水平回転で行うタイプの目砂・肥料散布機（図１，２に記載のもの）にＯＮ／ＯＦＦシャッター機構を追加して設けた本発明の目砂・肥料散布機の一例の要部側面図であり、図４は、ＯＮ／ＯＦＦシャッター機構の要部側面図であり、図５は、ＯＮ／ＯＦＦシャッター機構の要部斜視図である。
【００１３】
図３〜図５において、１ｂは後輪、２はエンジン、４は目砂または肥料を入れるホッパーで、走行台車の後輪１ｂの上方に設けられる。ホッパー４の下方は開放し、開放部の下にコンベア５が設置される。コンベア５は、ホッパー４の前方、後方のそれぞれに位置するコンベアローラー５ａ，５ｂにより、後向きに駆動され、コンベア５上の目砂または肥料を後方に移動することができる。６はホッパー４の後面下部に設けられた散布量調整用シャッターであり、シャッターハンドル６ａによりシャッター６の高さを調整してコンベア５上の目砂または肥料の送り出し量を調整する。１９は散布量調整用シャッター固定板、１９ａは散布量調整用シャッター固定ネジである。
【００１４】
１１は散布量調整用シャッター６の後方（コンベア５の下流側）に設けられたＯＮ／ＯＦＦシャッターであり、ＯＮ／ＯＦＦシャッター１１が上昇または下降することにより、コンベア５上の目砂・肥料の送り出し部の開放または閉鎖を行うことができる。９はストッパーシャッター蝶番取り付け板であり、散布量調整用シャッター６の後方に位置し、蝶番１０にＯＮ／ＯＦＦシャッター１１を取り付け、ＯＮ／ＯＦＦシャッター１１を閉鎖時にコンベア５のベルトに接触させることができる。
【００１５】
ＯＮ／ＯＦＦシャッター１１にはＯＮ／ＯＦＦシャッターリンクＡ１２が取り付けられ、リンクＡ１２には、ＯＮ／ＯＦＦシャッターリンクＢ１３，ＯＮ／ＯＦＦシャッターリンクＣ１４，ＯＮ／ＯＦＦシャッターＣ支点１４ａ，ＯＮ／ＯＦＦシャッター作動ワイヤー１５が順に連結され、さらに、ＯＮ／ＯＦＦシャッター作動ワイヤー１５はコンベア作動アーム２０に連結される。コンベア駆動用レバー１６は前方へ倒すと、コンベア駆動ロット１７が下方へ動き、コンベア作動アーム２０を押さえてコンベア作動状態にする。一方、コンベア駆動用レバー１６を直立させると、コンベア駆動ロット１７は上方へ動き、コンベア作動アーム２０はコンベア非作動状態になる。コンベア作動アーム２０がコンベア作動状態（作業状態）のときは、ＯＮ／ＯＦＦシャッター作動ワイヤー１５が引っ張られてＯＮ／ＯＦＦシャッター１１が上昇（開放）し、コンベア作動アーム２０がコンベア非作動状態（作業中断、移動回送状態）のときは、ＯＮ／ＯＦＦシャッター作動ワイヤー１５が押し戻されてＯＮ／ＯＦＦシャッター１１が下降（閉鎖）するようになっている。
【００１６】
図６は、従来の目砂・肥料の散布をブラシで行うタイプの目砂・肥料散布機にＯＮ／ＯＦＦシャッター機構を追加して設けた本発明の目砂・肥料散布機の別の例の要部側面図である。この図６の実施態様におけるＯＮ／ＯＦＦシャッター機構の動作は、図３〜５で説明したものと同じであることができる。
【産業上の利用可能性】
【００１７】
本発明の目砂・肥料散布機は、散布量調整用シャッター以外に、目砂・肥料の送り出し部の開放・閉鎖のためのＯＮ／ＯＦＦシャッターを別途設けているので、作業中断または移動回送時や作業再開時の散布量調整用シャッターの調整が不要になり、作業が捗り、極めて有用である。
【符号の説明】
【００１８】
１      目砂・肥料散布機
１ａ    前輪
１ｂ    後輪
２      エンジン
３      走行油圧モーター
４      ホッパー
５      コンベア
５ａ    コンベアローラー前側
５ｂ    コンベアローラー後側
６      散布量調整用シャッター
６ａ    散布量調整用シャッターハンドル
７      散布用ローター
８      ローター回転用油圧モーター
９      ストッパーシャッター蝶番取り付け板
１０    蝶番
１１    ＯＮ／ＯＦＦシャッター
１２    ＯＮ／ＯＦＦシャッターリンクＡ
１３    ＯＮ／ＯＦＦシャッターリンクＢ
１４    ＯＮ／ＯＦＦシャッターリンクＣ
１４ａ  ＯＮ／ＯＦＦシャッターリンクＣ支点
１５    ＯＮ／ＯＦＦシャッター作動ワイヤー
１６    コンベア駆動用レバー
１７    コンベア駆動ロット
１８    ブラシ
１９    散布量調整用シャッター固定板
１９ａ  散布量調整用シャッター固定ネジ
２０    コンベア作動アーム
【要約】
【課題】目砂または肥料を散布する際に送り出し量を調整するシャッターの締め切りや調整によらずに、作業中断、回送移動時の目砂・肥料のこぼれ落ちの防止、そして作業再開時の目砂・肥料の適切な送り出しを簡単に行うことができる目砂・肥料の散布機を提供する。
【解決手段】走行可能な台車と、その台車の後部の上方に設けられかつ目砂・肥料を収容するホッパーと、そのホッパーの下部にホッパーから供給される目砂・肥料を後方へ送るコンベアと、コンベア後方への目砂・肥料の送り量を調整する散布量調整用シャッターを備えた散布機であって、散布量調整用シャッターの後方に、目土・肥料の送り出し部の開放／閉鎖を行うＯＮ／ＯＦＦシャッターを設けたことを特徴とする目砂・肥料散布機。
【選択図】図４【図５】
0005431614.tif 000002
【図１】
0005431614.tif 000003
【図２】
0005431614.tif 000004
【図３】
0005431614.tif 000005
【図４】
0005431614.tif 000006
【図６】
0005431614.tif 000007